(57)【要約】【課題】  ユーザが購入した商品又は購入候補の商品に対して、ユーザの希望条件を満たしている組み合わせ商品によるコーディネートを提供する。【解決手段】商品コーディネートシステムは、ユーザが購入した商品をユーザの端末装置からＱＲコード（又はＩＣタグ）リーダーで商品のＱＲコード（又はＩＣタグデータ）を読み込み、読み込んだ商品情報をシステムに送信すると、ユーザの端末装置にユーザ希望条件を入力するための画面を表示し、ユーザが端末装置からコーディネート条件を入力すると、ユーザ希望に基づいて予め記憶されているコーディネート情報を選択し、ユーザ端末に提示する。【選択図】図９
2012155550.tif 000002
【特許請求の範囲】
【請求項１】
ユーザの端末装置と、ネットワークを介して前記端末装置と接続された商品コーディネート装置を備えた商品コーディネートシステムにおいて、
前記商品コーディネート装置は、
商品ＩＤに対応して、商品画像、商品情報を記憶する商品データＤＢと、
基準商品の商品ＩＤに対応して、その商品画像、ユーザＩＤ、ユーザ情報、コーディネート条件を記憶するアンケートＤＢと、
基準商品の商品ＩＤ及びコーディネート条件に対応して、コーディネート商品の組み合わせ商品ＩＤを予め記憶する組み合わせＤＢと、
基準商品の商品ＩＤ及びその商品情報、基準商品及び組み合わせ商品をコーディネート条件に従い組み合わせた結果画像、コーディネート条件、ひとつ又は複数の組み合わせ商品ＩＤ及びその商品情報を記憶するコーディネート結果ＤＢと、
を備え、
前記端末装置は、基準商品の商品ＩＤを取得し、基準商品の商品ＩＤと、前記端末装置に予め記憶されている又は入力したユーザＩＤとを、商品コーディネート装置に送り、
前記商品コーディネート装置は、基準商品の商品ＩＤに基づき前記商品データＤＢを参照して商品画像を取得し、基準商品の商品ＩＤ及び商品画像と、ユーザＩＤと、コーディネート条件を取得するためのアンケート項目とを含むアンケートデータを作成して、そのアンケートデータを前記端末装置に送信し、
前記端末装置は、受信したアンケートデータに基づきアンケートを表示し、コーディネート条件を入力し、基準商品の商品ＩＤ及び商品画像、ユーザＩＤ及びユーザ情報、入力されたコーディネート条件を含むアンケート回答データを、商品コーディネート装置に送り、
前記商品コーディネート装置は、アンケート回答データを前記アンケートＤＢに記憶し、アンケート回答データ中の商品ＩＤ及びコーディネート条件に基づき、組み合わせＤＢと照合し、該コーディネート条件を満たすひとつ又は複数の組み合わせ商品の商品ＩＤを抽出し、
前記商品コーディネート装置は、抽出した各組み合わせ商品の商品ＩＤに基づき、前記商品データＤＢを参照して、その商品画像及び商品情報を求め、
前記商品コーディネート装置は、基準商品及び組み合わせ商品を前記コーディネート条件に従い組み合わせた結果画像を生成し、
前記商品コーディネート装置は、基準商品の商品ＩＤ及び商品情報、結果画像、コーディネート条件、組み合わせ商品の商品ＩＤ及び商品情報を含むコーディネート結果情報を作成して、それをコーディート結果ＤＢに記憶し、ユーザＩＤに従い端末装置に送信し、
前記端末装置は、コーディネート結果情報を受信して、それを表示する
商品コーディネートシステム。
【請求項２】
前記端末装置は、基準商品の商品ＩＤを前記商品コーディネート装置に送信し、
前記商品コーディネート装置は、商品データＤＢを参照し、基準商品の商品ＩＤに基づき商品画像及び商品情報を含む商品データ求め、それを前記端末装置に送り、
前記端末装置は、該商品データを受信して、表示する
ことを特徴とする請求項１に記載の商品コーディネートシステム。
【請求項３】
商品に付いている又は商品に該当するＩＣタグには、商品ＩＤと、商品画像及び／又は商品情報とを含む商品データが記憶され、
前記端末装置は、該商品データを読み込んで、表示する
ことを特徴とする請求項１又は２に記載の商品コーディネートシステム。
【請求項４】
前記商品コーディネート装置は、ユーザＩＤに対応して、ユーザ情報、基準商品の商品ＩＤ及び商品情報を記憶するユーザ情報ＤＢをさらに備え、
前記商品コーディネート装置は、商品データＤＢを参照して求めた、商品ＩＤ、商品画像及び商品情報を、端末装置から受信したユーザＩＤ及びユーザ情報に対応して、ユーザ情報ＤＢに記憶することを特徴とする請求項１乃至３のいずれかに記載の商品コーディネートシステム。
【請求項５】
組み合わせＤＢは、コーディネート商品の組み合わせ商品ＩＤの複数の候補を記憶し、
前記商品コーディネート装置は、端末装置からの特定の入力により、前記複数の候補から予め定められた順で組み合わせ商品ＩＤを選択することで、順次各候補によるコーディネート結果情報を作成すること
ことを特徴とする請求項１乃至４のいずれかに記載の商品コーディネートシステム。
【請求項６】
前記端末装置は、基準商品に付いているコード又はＩＣタグを読み込むことで、基準商品ＩＤを得ることを特徴とする請求項１乃至５のいずれかに記載の商品コーディネートシステム。
【請求項７】
商品情報は、色、サイズ、素材、柄、値段のいずれかひとつ又は複数を含み、
コーディネート条件は、希望組み合わせ、ジャンル、着用時、年齢のいずれかひとつ又は複数を含む
ことを特徴とする請求項１乃至６のいずれかに記載の商品コーディネートシステム。
【請求項８】
ユーザの端末装置と、ネットワークを介して前記端末装置と接続された商品コーディネート装置を備えた商品コーディネートシステムにおける前記商品コーディネート装置であって、
商品ＩＤに対応して、商品画像、商品情報を記憶する商品データＤＢと、
基準商品の商品ＩＤに対応して、その商品画像、ユーザＩＤ、ユーザ情報、コーディネート条件を記憶するアンケートＤＢと、
基準商品の商品ＩＤ及びコーディネート条件に対応して、コーディネート商品の組み合わせ商品ＩＤを予め記憶する組み合わせＤＢと、
基準商品の商品ＩＤ及びその商品情報、基準商品及び組み合わせ商品をコーディネート条件に従い組み合わせた結果画像、コーディネート条件、ひとつ又は複数の組み合わせ商品ＩＤ及びその商品情報を記憶するコーディネート結果ＤＢと、
商品コーディネートを作成する処理部と
を備え、
前記処理部は、前記端末装置から、基準商品の商品ＩＤを取得し、基準商品の商品ＩＤと、前記端末装置に予め記憶されている又は入力したユーザＩＤとを、商品コーディネート装置に受け、
前記処理部は、基準商品の商品ＩＤに基づき前記商品データＤＢを参照して商品画像を取得し、基準商品の商品ＩＤ及び商品画像と、ユーザＩＤと、コーディネート条件を取得するためのアンケート項目とを含むアンケートデータを作成して、そのアンケートデータを前記端末装置に送信し、
前記端末装置に、受信したアンケートデータに基づきアンケートを表示させ、コーディネート条件を入力し、基準商品の商品ＩＤ及び商品画像、ユーザＩＤ及びユーザ情報、入力されたコーディネート条件を含むアンケート回答データを、前記処理部は受け、
前記処理部は、アンケート回答データを前記アンケートＤＢに記憶し、アンケート回答データ中の商品ＩＤ及びコーディネート条件に基づき、組み合わせＤＢと照合し、該コーディネート条件を満たすひとつ又は複数の組み合わせ商品の商品ＩＤを抽出し、
前記処理部は、抽出した各組み合わせ商品の商品ＩＤに基づき、前記商品データＤＢを参照して、その商品画像及び商品情報を求め、
前記処理部は、基準商品及び組み合わせ商品を前記コーディネート条件に従い組み合わせた結果画像を生成し、
前記処理部は、基準商品の商品ＩＤ及び商品情報、結果画像、コーディネート条件、組み合わせ商品の商品ＩＤ及び商品情報を含むコーディネート結果情報を作成して、それをコーディート結果ＤＢに記憶し、ユーザＩＤに従い端末装置に送信し、
前記端末装置に、コーディネート結果情報を受信して、それを表示させる
商品コーディネート装置。
【請求項９】
ユーザの端末装置と、ネットワークを介して前記端末装置と接続された商品コーディネート装置を備え、
前記商品コーディネート装置は、
商品ＩＤに対応して、商品画像、商品情報を記憶する商品データＤＢと、
基準商品の商品ＩＤに対応して、その商品画像、ユーザＩＤ、ユーザ情報、コーディネート条件を記憶するアンケートＤＢと、
基準商品の商品ＩＤ及びコーディネート条件に対応して、コーディネート商品の組み合わせ商品ＩＤを予め記憶する組み合わせＤＢと、
基準商品の商品ＩＤ及びその商品情報、基準商品及び組み合わせ商品をコーディネート条件に従い組み合わせた結果画像、コーディネート条件、ひとつ又は複数の組み合わせ商品ＩＤ及びその商品情報を記憶するコーディネート結果ＤＢと、
を備えた商品コーディネートシステムを用いた商品コーディネート方法であって、
前記端末装置は、基準商品の商品ＩＤを取得し、基準商品の商品ＩＤと、前記端末装置に予め記憶されている又は入力したユーザＩＤとを、商品コーディネート装置に送り、
前記商品コーディネート装置は、基準商品の商品ＩＤに基づき前記商品データＤＢを参照して商品画像を取得し、基準商品の商品ＩＤ及び商品画像と、ユーザＩＤと、コーディネート条件を取得するためのアンケート項目とを含むアンケートデータを作成して、そのアンケートデータを前記端末装置に送信し、
前記端末装置は、受信したアンケートデータに基づきアンケートを表示し、コーディネート条件を入力し、基準商品の商品ＩＤ及び商品画像、ユーザＩＤ及びユーザ情報、入力されたコーディネート条件を含むアンケート回答データを、商品コーディネート装置に送り、
前記商品コーディネート装置は、アンケート回答データを前記アンケートＤＢに記憶し、アンケート回答データ中の商品ＩＤ及びコーディネート条件に基づき、組み合わせＤＢと照合し、該コーディネート条件を満たすひとつ又は複数の組み合わせ商品の商品ＩＤを抽出し、
前記商品コーディネート装置は、抽出した各組み合わせ商品の商品ＩＤに基づき、前記商品データＤＢを参照して、その商品画像及び商品情報を求め、
前記商品コーディネート装置は、基準商品及び組み合わせ商品を前記コーディネート条件に従い組み合わせた結果画像を生成し、
前記商品コーディネート装置は、基準商品の商品ＩＤ及び商品情報、結果画像、コーディネート条件、組み合わせ商品の商品ＩＤ及び商品情報を含むコーディネート結果情報を作成して、それをコーディート結果ＤＢに記憶し、ユーザＩＤに従い端末装置に送信し、
前記端末装置は、コーディネート結果情報を受信して、それを表示する
商品コーディネート方法。
【請求項１０】
ユーザの端末装置と、ネットワークを介して前記端末装置と接続された商品コーディネート装置を備え、
前記商品コーディネート装置は、
商品ＩＤに対応して、商品画像、商品情報を記憶する商品データＤＢと、
基準商品の商品ＩＤに対応して、その商品画像、ユーザＩＤ、ユーザ情報、コーディネート条件を記憶するアンケートＤＢと、
基準商品の商品ＩＤ及びコーディネート条件に対応して、コーディネート商品の組み合わせ商品ＩＤを予め記憶する組み合わせＤＢと、
基準商品の商品ＩＤ及びその商品情報、基準商品及び組み合わせ商品をコーディネート条件に従い組み合わせた結果画像、コーディネート条件、ひとつ又は複数の組み合わせ商品ＩＤ及びその商品情報を記憶するコーディネート結果ＤＢと、
商品コーディネートを作成する処理部と
を備えた商品コーディネートシステムを用いた商品コーディネートプログラムであって、
前記処理部は、前記端末装置から、基準商品の商品ＩＤを取得し、基準商品の商品ＩＤと、前記端末装置に予め記憶されている又は入力したユーザＩＤとを、商品コーディネート装置に受けるステップと、
前記処理部は、基準商品の商品ＩＤに基づき前記商品データＤＢを参照して商品画像を取得し、基準商品の商品ＩＤ及び商品画像と、ユーザＩＤと、コーディネート条件を取得するためのアンケート項目とを含むアンケートデータを作成して、そのアンケートデータを前記端末装置に送信するステップと、
前記端末装置に、受信したアンケートデータに基づきアンケートを表示させ、コーディネート条件を入力し、基準商品の商品ＩＤ及び商品画像、ユーザＩＤ及びユーザ情報、入力されたコーディネート条件を含むアンケート回答データを、前記処理部は受るステップと、
前記処理部は、アンケート回答データを前記アンケートＤＢに記憶し、アンケート回答データ中の商品ＩＤ及びコーディネート条件に基づき、組み合わせＤＢと照合し、該コーディネート条件を満たすひとつ又は複数の組み合わせ商品の商品ＩＤを抽出するステップと、
前記処理部は、抽出した各組み合わせ商品の商品ＩＤに基づき、前記商品データＤＢを参照して、その商品画像及び商品情報を求めるステップと、
前記処理部は、基準商品及び組み合わせ商品を前記コーディネート条件に従い組み合わせた結果画像を生成するステップと、
前記処理部は、基準商品の商品ＩＤ及び商品情報、結果画像、コーディネート条件、組み合わせ商品の商品ＩＤ及び商品情報を含むコーディネート結果情報を作成して、それをコーディート結果ＤＢに記憶し、ユーザＩＤに従い端末装置に送信するステップと、
前記端末装置に、コーディネート結果情報を受信して、それを表示させるステップと
をコンピュータに実行させるための商品コーディネートプログラム。
【発明の詳細な説明】
【技術分野】
【０００１】
本発明は、商品コーディネートシステム、商品コーディネート装置及び方法、商品コーディネートプログラムに係り、特に、ユーザ（顧客等）が購入した商品に組み合わせる商品を選定するための、携帯装置・ＰＤＡ・スマートフォン等の端末装置を利用した商品コーディネートシステム、商品コーディネート装置及び方法、商品コーディネートプログラムに関するものである。
【背景技術】
【０００２】
従来、ユーザに対して、例えばユーザが購入する「ニット」に組み合わせるコーディネート商品として「スカート」を販売員が選定するときは、例えば、次のようになっている。
（１）ユーザの来店時の服装や好み（大人な感じ、かわいい感じ等）等のユーザ情報（ユーザ情報）を把握するとともに、ユーザ本人が基本商品として選んだスカートの商品情報（商品情報）（色、柄、サイズ、素材等）を把握する。
（２）次いで、このような把握内容に基づいて、店内にある商品の中から、ユーザに似合う商品情報を備えた「スカート」を選定する。
【先行技術文献】
【特許文献】
【０００３】
【特許文献１】特開２００２−２５１５４７号公報
【発明の開示】
【発明が解決しようとする課題】
【０００４】
しかし、販売員がユーザに似合うコーディネートを選定するには時間と経験が必要となるため、時間の余裕がない場合には販売員の意見を十分聞くことが出来ない場合がある。また、販売員に話しかけられるのを余り好まない人もいるということも考えられる。
本発明は、以上の点に鑑み、ユーザが購入した商品又は購入候補の商品に対して、ユーザの希望条件を満たしている組み合わせ商品によるコーディネートを提供することを目的とする。
本発明は、お店で直接販売員の意見を聞かなくても、自分の都合の良いときに、携帯端末等の端末装置から販売員等が勧めるコーディネート商品を選定する事を目的とする。
【課題を解決するための手段】
【０００５】
本発明の商品コーディネートシステムは、例えば、ユーザが購入した商品に対して、ユーザの端末装置とサーバとがネットワークを介して接続され、商品コーディネートシステム側の商品情報とユーザ情報のデータベースを基に、利用条件等のコーディネート条件にあった商品コーディネートを提案し、情報をユーザ端末に表示するシステムである。
本発明では、ユーザの端末装置のＱＲコードリーダー又はＩＣタグリーダーで商品のＱＲコード又はＩＣタグを読み込み、商品コーディネートシステムに送信すると、商品コーディネートシステムは、ユーザ端末装置にユーザ希望条件を入力するアンケートを送信する。そして、ユーザがアンケートを入力し、商品コーディネートシステムに送信すると、商品コーディネートシステムは、アンケートに基づき多数の商品からコーディネートされる商品を抽出し、ユーザの端末装置に送る。
【０００６】
本発明の、第１の解決手段によると、
ユーザの端末装置と、ネットワークを介して前記端末装置と接続された商品コーディネート装置を備えた商品コーディネートシステムにおいて、
前記商品コーディネート装置は、
商品ＩＤに対応して、商品画像、商品情報を記憶する商品データＤＢと、
基準商品の商品ＩＤに対応して、その商品画像、ユーザＩＤ、ユーザ情報、コーディネート条件を記憶するアンケートＤＢと、
基準商品の商品ＩＤ及びコーディネート条件に対応して、コーディネート商品の組み合わせ商品ＩＤを予め記憶する組み合わせＤＢと、
基準商品の商品ＩＤ及びその商品情報、基準商品及び組み合わせ商品をコーディネート条件に従い組み合わせた結果画像、コーディネート条件、ひとつ又は複数の組み合わせ商品ＩＤ及びその商品情報を記憶するコーディネート結果ＤＢと、
を備え、
前記端末装置は、基準商品の商品ＩＤを取得し、基準商品の商品ＩＤと、前記端末装置に予め記憶されている又は入力したユーザＩＤとを、商品コーディネート装置に送り、
前記商品コーディネート装置は、基準商品の商品ＩＤに基づき前記商品データＤＢを参照して商品画像を取得し、基準商品の商品ＩＤ及び商品画像と、ユーザＩＤと、コーディネート条件を取得するためのアンケート項目とを含むアンケートデータを作成して、そのアンケートデータを前記端末装置に送信し、
前記端末装置は、受信したアンケートデータに基づきアンケートを表示し、コーディネート条件を入力し、基準商品の商品ＩＤ及び商品画像、ユーザＩＤ及びユーザ情報、入力されたコーディネート条件を含むアンケート回答データを、商品コーディネート装置に送り、
前記商品コーディネート装置は、アンケート回答データを前記アンケートＤＢに記憶し、アンケート回答データ中の商品ＩＤ及びコーディネート条件に基づき、組み合わせＤＢと照合し、該コーディネート条件を満たすひとつ又は複数の組み合わせ商品の商品ＩＤを抽出し、
前記商品コーディネート装置は、抽出した各組み合わせ商品の商品ＩＤに基づき、前記商品データＤＢを参照して、その商品画像及び商品情報を求め、
前記商品コーディネート装置は、基準商品及び組み合わせ商品を前記コーディネート条件に従い組み合わせた結果画像を生成し、
前記商品コーディネート装置は、基準商品の商品ＩＤ及び商品情報、結果画像、コーディネート条件、組み合わせ商品の商品ＩＤ及び商品情報を含むコーディネート結果情報を作成して、それをコーディート結果ＤＢに記憶し、ユーザＩＤに従い端末装置に送信し、
前記端末装置は、コーディネート結果情報を受信して、それを表示する
商品コーディネートシステムが提供される。
【０００７】
本発明の、第２の解決手段によると、
ユーザの端末装置と、ネットワークを介して前記端末装置と接続された商品コーディネート装置を備えた商品コーディネートシステムにおける前記商品コーディネート装置であって、
商品ＩＤに対応して、商品画像、商品情報を記憶する商品データＤＢと、
基準商品の商品ＩＤに対応して、その商品画像、ユーザＩＤ、ユーザ情報、コーディネート条件を記憶するアンケートＤＢと、
基準商品の商品ＩＤ及びコーディネート条件に対応して、コーディネート商品の組み合わせ商品ＩＤを予め記憶する組み合わせＤＢと、
基準商品の商品ＩＤ及びその商品情報、基準商品及び組み合わせ商品をコーディネート条件に従い組み合わせた結果画像、コーディネート条件、ひとつ又は複数の組み合わせ商品ＩＤ及びその商品情報を記憶するコーディネート結果ＤＢと、
商品コーディネートを作成する処理部と
を備え、
前記処理部は、前記端末装置から、基準商品の商品ＩＤを取得し、基準商品の商品ＩＤと、前記端末装置に予め記憶されている又は入力したユーザＩＤとを、商品コーディネート装置に受け、
前記処理部は、基準商品の商品ＩＤに基づき前記商品データＤＢを参照して商品画像を取得し、基準商品の商品ＩＤ及び商品画像と、ユーザＩＤと、コーディネート条件を取得するためのアンケート項目とを含むアンケートデータを作成して、そのアンケートデータを前記端末装置に送信し、
前記端末装置に、受信したアンケートデータに基づきアンケートを表示させ、コーディネート条件を入力し、基準商品の商品ＩＤ及び商品画像、ユーザＩＤ及びユーザ情報、入力されたコーディネート条件を含むアンケート回答データを、前記処理部は受け、
前記処理部は、アンケート回答データを前記アンケートＤＢに記憶し、アンケート回答データ中の商品ＩＤ及びコーディネート条件に基づき、組み合わせＤＢと照合し、該コーディネート条件を満たすひとつ又は複数の組み合わせ商品の商品ＩＤを抽出し、
前記処理部は、抽出した各組み合わせ商品の商品ＩＤに基づき、前記商品データＤＢを参照して、その商品画像及び商品情報を求め、
前記処理部は、基準商品及び組み合わせ商品を前記コーディネート条件に従い組み合わせた結果画像を生成し、
前記処理部は、基準商品の商品ＩＤ及び商品情報、結果画像、コーディネート条件、組み合わせ商品の商品ＩＤ及び商品情報を含むコーディネート結果情報を作成して、それをコーディート結果ＤＢに記憶し、ユーザＩＤに従い端末装置に送信し、
前記端末装置に、コーディネート結果情報を受信して、それを表示させる
商品コーディネート装置が提供される。
【０００８】
本発明の、第３の解決手段によると、
ユーザの端末装置と、ネットワークを介して前記端末装置と接続された商品コーディネート装置を備え、
前記商品コーディネート装置は、
商品ＩＤに対応して、商品画像、商品情報を記憶する商品データＤＢと、
基準商品の商品ＩＤに対応して、その商品画像、ユーザＩＤ、ユーザ情報、コーディネート条件を記憶するアンケートＤＢと、
基準商品の商品ＩＤ及びコーディネート条件に対応して、コーディネート商品の組み合わせ商品ＩＤを予め記憶する組み合わせＤＢと、
基準商品の商品ＩＤ及びその商品情報、基準商品及び組み合わせ商品をコーディネート条件に従い組み合わせた結果画像、コーディネート条件、ひとつ又は複数の組み合わせ商品ＩＤ及びその商品情報を記憶するコーディネート結果ＤＢと、
を備えた商品コーディネートシステムを用いた商品コーディネート方法であって、
前記端末装置は、基準商品の商品ＩＤを取得し、基準商品の商品ＩＤと、前記端末装置に予め記憶されている又は入力したユーザＩＤとを、商品コーディネート装置に送り、
前記商品コーディネート装置は、基準商品の商品ＩＤに基づき前記商品データＤＢを参照して商品画像を取得し、基準商品の商品ＩＤ及び商品画像と、ユーザＩＤと、コーディネート条件を取得するためのアンケート項目とを含むアンケートデータを作成して、そのアンケートデータを前記端末装置に送信し、
前記端末装置は、受信したアンケートデータに基づきアンケートを表示し、コーディネート条件を入力し、基準商品の商品ＩＤ及び商品画像、ユーザＩＤ及びユーザ情報、入力されたコーディネート条件を含むアンケート回答データを、商品コーディネート装置に送り、
前記商品コーディネート装置は、アンケート回答データを前記アンケートＤＢに記憶し、アンケート回答データ中の商品ＩＤ及びコーディネート条件に基づき、組み合わせＤＢと照合し、該コーディネート条件を満たすひとつ又は複数の組み合わせ商品の商品ＩＤを抽出し、
前記商品コーディネート装置は、抽出した各組み合わせ商品の商品ＩＤに基づき、前記商品データＤＢを参照して、その商品画像及び商品情報を求め、
前記商品コーディネート装置は、基準商品及び組み合わせ商品を前記コーディネート条件に従い組み合わせた結果画像を生成し、
前記商品コーディネート装置は、基準商品の商品ＩＤ及び商品情報、結果画像、コーディネート条件、組み合わせ商品の商品ＩＤ及び商品情報を含むコーディネート結果情報を作成して、それをコーディート結果ＤＢに記憶し、ユーザＩＤに従い端末装置に送信し、
前記端末装置は、コーディネート結果情報を受信して、それを表示する
商品コーディネート方法が提供される。
【０００９】
本発明の、第４の解決手段によると、
ユーザの端末装置と、ネットワークを介して前記端末装置と接続された商品コーディネート装置を備え、
前記商品コーディネート装置は、
商品ＩＤに対応して、商品画像、商品情報を記憶する商品データＤＢと、
基準商品の商品ＩＤに対応して、その商品画像、ユーザＩＤ、ユーザ情報、コーディネート条件を記憶するアンケートＤＢと、
基準商品の商品ＩＤ及びコーディネート条件に対応して、コーディネート商品の組み合わせ商品ＩＤを予め記憶する組み合わせＤＢと、
基準商品の商品ＩＤ及びその商品情報、基準商品及び組み合わせ商品をコーディネート条件に従い組み合わせた結果画像、コーディネート条件、ひとつ又は複数の組み合わせ商品ＩＤ及びその商品情報を記憶するコーディネート結果ＤＢと、
商品コーディネートを作成する処理部と
を備えた商品コーディネートシステムを用いた商品コーディネートプログラムであって、
前記処理部は、前記端末装置から、基準商品の商品ＩＤを取得し、基準商品の商品ＩＤと、前記端末装置に予め記憶されている又は入力したユーザＩＤとを、商品コーディネート装置に受けるステップと、
前記処理部は、基準商品の商品ＩＤに基づき前記商品データＤＢを参照して商品画像を取得し、基準商品の商品ＩＤ及び商品画像と、ユーザＩＤと、コーディネート条件を取得するためのアンケート項目とを含むアンケートデータを作成して、そのアンケートデータを前記端末装置に送信するステップと、
前記端末装置に、受信したアンケートデータに基づきアンケートを表示させ、コーディネート条件を入力し、基準商品の商品ＩＤ及び商品画像、ユーザＩＤ及びユーザ情報、入力されたコーディネート条件を含むアンケート回答データを、前記処理部は受るステップと、
前記処理部は、アンケート回答データを前記アンケートＤＢに記憶し、アンケート回答データ中の商品ＩＤ及びコーディネート条件に基づき、組み合わせＤＢと照合し、該コーディネート条件を満たすひとつ又は複数の組み合わせ商品の商品ＩＤを抽出するステップと、
前記処理部は、抽出した各組み合わせ商品の商品ＩＤに基づき、前記商品データＤＢを参照して、その商品画像及び商品情報を求めるステップと、
前記処理部は、基準商品及び組み合わせ商品を前記コーディネート条件に従い組み合わせた結果画像を生成するステップと、
前記処理部は、基準商品の商品ＩＤ及び商品情報、結果画像、コーディネート条件、組み合わせ商品の商品ＩＤ及び商品情報を含むコーディネート結果情報を作成して、それをコーディート結果ＤＢに記憶し、ユーザＩＤに従い端末装置に送信するステップと、
前記端末装置に、コーディネート結果情報を受信して、それを表示させるステップと
をコンピュータに実行させるための商品コーディネートプログラムが提供される。
【発明の効果】
【００１０】
本発明によれば、お店で直接販売員の意見を聞かなくても、自分の都合の良いときに、携帯端末等の端末装置から販売員等が勧めるコーディネート商品を選定する事ができる。
また、本発明によれば、ユーザが既に持っている服とあわすことも出来るし、さらに購入したお店にコーディネート内容と同じような商品があれば、商品画像や商品情報（色、サイズ、値段等）も表示されるという優れた効果がある。
【図面の簡単な説明】
【００１１】
【図１】端末装置を利用した商品コーディネートシステムの構成図。
【図２】ユーザ情報ＤＢ２０５の説明図。
【図３】アンケートＤＢ２０４の説明図。
【図４】組み合わせＤＢ２０６の説明図。
【図５】商品データＤＢ２０７の説明図。
【図６】コーディネート結果ＤＢ２０８の説明図
【図７】端末装置に表示される商品データの画面の図。
【図８】コーディネート条件を入力するアンケート画面の図。
【図９】コーディネート結果を表示する画面の図。
【図１０】第１の実施の形態の商品コーディネートシステムの動作を示すシーケンス図。
【図１１】第２の実施の形態の商品コーディネートシステムの動作を示すシーケンス図。
【図１２】第３の実施の形態の商品コーディネートシステムの動作を示すシーケンス図。
【図１３】組み合わせＤＢ２０６の他の実施の形態の説明図。
【図１４】アンケートフォーマット記憶部の説明図。
【発明を実施するための形態】
【００１２】
１．第１の実施の形態
以下、本発明の実施の形態について、図を参照して説明する。
図１は、端末装置を利用した商品コーディネートシステムの構成図である。
この商品コーディネート装置は、ユーザ・顧客等が有する端末装置２０１、ユーザが読み込んだ基本商品情報からユーザの希望ジャンルで販売員等のお薦めの商品を選定するコーディネートサービスを提供する為の商品コーディネート装置２０２とを備え、これらの装置は通信ネットワーク２１０で互いに接続される。
ユーザ側端末装置２０１では、ユーザが購入した商品又は購入候補の商品の情報をＱＲコード又はＩＣタグを利用してアクセスする。
商品コーディネート装置２０２は、ユーザ側の端末装置２０１から送られてきた情報を受信し処理をする情報処理部２０３と、各種データベース（以下、「データベース」を「ＤＢ」と略す。）を含む記憶部２１１を有する。記憶部２１１は、ユーザの好み情報を取得するためのアンケートＤＢ２０４、ユーザの情報や購入又は購入候補である商品（以下、購入商品という場合がある。）の情報を蓄積するユーザＤＢ２０５、商品販売元・製造元、・お店や業者・販売員等が作成したコーディネート情報を予め蓄積しユーザが希望するコーディネート条件と照合させるための組み合わせＤＢ２０６、商品の情報を予め記憶する商品データＤＢ２０７、コーディネートの結果を記憶するコーディネート結果ＤＢ２０８を含む。
商品コーディネートシステムは、ユーザが購入した商品をユーザの端末装置２０１からＱＲ（又はＩＣタグ）コードリーダーで商品のＱＲコード（又はＩＣタグデータ）を読み込み、読み込んだ商品情報を商品コーディネート装置２０２に送信すると、ユーザの端末装置２０１にユーザ希望条件を入力するための画面を表示させ、ユーザが端末装置２０１からコーディネート条件を入力すると、ユーザ希望に基づいて販売員等が考えた予め記憶されているコーディネート情報を選択し、ユーザの端末装置２０１に提示する。コーディネートされた組み合わせに適した商品が購入した店舗にあればその情報も同時に表示されることができる。
【００１３】
図２は、ユーザ情報ＤＢ２０５の説明図である。
ユーザ情報ＤＢ２０５は、ユーザＩＤに対応して、ユーザ情報、購入商品の商品ＩＤ及び商品情報を記憶する
はユーザ情報は、例えば、はユーザの氏名またはニックネーム、ユーザの年齢等を含む。商品情報は、メーカー名、商品の色、サイズ、素材、値段等を含む。
図３は、アンケートＤＢ２０４の説明図である。
アンケートＤＢ２０４は、購入商品ＩＤに対応して、商品画像、ユーザＩＤ、ユーザ情報、コーディネート条件等を記憶する。コーディネート条件には、例えば、次の項目を含むことができる。
−  希望組み合わせ（ニット、シャツ、ジャケット、ブーツ、パンプス等、購入又は購入候補の商品に合わせる希望組み合わせについての項目）、
−  ジャンル（エレガンス、フェミニン、カジュアル、トレンド、グラマラス等、ユーザがどのような種類のコーディネートにしたいかについての項目）、及び、
−  着用時（通勤、休日、パーティ、旅行等、ユーザがその服をいつ着用したいかについての項）
【００１４】
図４は、組み合わせＤＢ２０６の説明図である。
組み合わせＤＢ２０６は、購入商品の商品ＩＤ及びコーディネート条件に対応して、コーディネート商品の組み合わせ商品ＩＤを予め記憶する。
例えば、衣服の場合、ユーザの希望条件から、どのようなものを組み合わせるかを示す。このコーディネート商品は、お店の販売員や、商品の販売業者・販売元・製造元・メーカー等により予め設定される。このＤＢは、コーディネートをする際利用される。コーディネートされた組み合わせに適した商品が購入した店舗にあればその情報を予め記憶しておくこともできる。
【００１５】
図５は、商品データＤＢ２０７の説明図である。
商品データＤＢ２０７は、商品ＩＤに対応して、商品画像、商品情報を記憶する。
図６は、コーディネート結果ＤＢ２０８の説明図である。
コーディネート結果ＤＢ２０８は、購入商品の商品ＩＤ及びその商品情報、購入商品及び組み合わせ商品をコーディネート条件に従い組み合わせた結果画像、コーディネート条件、ひとつ又は複数の組み合わせ商品ＩＤ及びその商品情報を記憶する。
もし、ユーザが購入したお店で、コーディネート商品としてぴったりなものがあればその情報について情報を予め記憶しておくこともできる。
【００１６】
図１０は、第１の実施の形態の商品コーディネートシステムの動作を示すシーケンス図である。
以下、ユーザの端末装置を利用した商品コーディネートシステムの動作について説明する。
ユーザは、端末装置にて、商品のタグについているＱＲコード又はＩＣタグにて商品の商品ＩＤを読み込み、商品コーディネート装置に商品ＩＤを送る（ステップ９０１）。
以下、一例として、ユーザが購入する基準商品を「スカート」とし、商品コーディネートシステムを用いて商品コーディネートを行い、ユーザが希望するジャンルの商品をユーザに提示する場合の処理について説明する。
商品コーディネート装置は、商品データＤＢを参照し、購入商品ＩＤに基づき商品画像及び商品情報を含む商品データを求め（ステップ９０１−１）、それを前記端末装置に送る（９０１−２）。
端末装置は、該商品データを受信して、表示する（ステップ９０１−３）。
【００１７】
図７は、端末装置に表示される商品データの画面の図である。
ユーザがコーディネート基準商品として「スカート」を選出すると、ユーザの端末装置を用いて、図７のように、商品画像６０１、商品ＩＤ６０２、メーカー名６０３、色６０４、サイズ６０５、素材６０６、柄６０７等の商品情報がユーザ端末に表示させる。
つぎに、ユーザの操作等により端末装置を用いてユーザ情報を作成して、送信する。すなわち、端末装置は、商品ＤＢから読み込んだ商品ＩＤと、端末装置に予め記憶されている又は入力したユーザＩＤと、氏名等を含むユーザ情報を商品コーディネートシステムに送信する（ステップ９０２）。なお、端末装置のＳＳＬ機能を使ってもよい。
また、商品コーディネート装置は、商品データＤＢを参照して求めた、商品ＩＤ、商品画像及び商品情報を、端末装置から受信したユーザＩＤ及びユーザ情報に対応して、ユーザ情報ＤＢに記憶する（ステップ９０２）。なお、この処理は、ステップ９０３等適宜のステップで実行してもよい。
【００１８】
商品コーディネート装置は、購入商品の商品ＩＤに基づき商品データＤＢを参照して商品画像を取得し、購入商品の商品ＩＤ及び商品画像、ユーザＩＤを含み、コーディネート条件を取得するためのアンケート項目を含むアンケートデータを作成して、そのアンケートデータを端末装置に送信する（ステップ９０３）。
端末装置は、受信したアンケートデータに基づきアンケートを表示する（ステップ９０４）。
図８は、コーディネート条件を入力するアンケート画面の図である。
ユーザの端末装置上に表示されるアンケートの内容は、商品画像７０１、ユーザ名（ニックネーム可）７０２と、年齢７０３の入力項目、ユーザのユーザＩＤ７０７、メッセージ７０８、コーディネート条件（ユーザの希望組み合わせ７０４、希望ジャンル７０５、購入した服の着用時期７０６）、アンケート送信ボタン７０９等が表示される。
アンケートを受信したユーザは端末装置よりアンケート項目のコーディネート条件等を入力する。例えば、コーディネート条件を入力し、端末装置は、購入商品の商品ＩＤ及び商品画像、ユーザＩＤ及びユーザ情報、入力されたコーディネート条件を含むアンケート回答データを、商品コーディネート装置に送信する（ステップ９０４）。
例えば、ユーザは、図８で示すように、希望組み合わせ７０４を「ニット」、「ジャケット」、「ブーツ」を、ジャンル７０５を「フェミニン」、着用時７０６を「休日」と選択し、送信ボタン７０９をクリックすると、商品コーディネートシステムにアンケート回答データが送信される。
【００１９】
端末装置を利用した商品コーディネート装置では、ユーザが購入した商品を元に、ユーザが送信した情報を元に適したコーディネートを以下の手順で作成する。
商品コーディネート装置は、アンケート回答データをアンケートＤＢに記憶し、アンケート回答データ中の商品ＩＤ及びコーディネート条件に基づき、組み合わせＤＢと照合し、その購入商品の商品ＩＤとコーディネート条件の各項目の組み合わせを満たすひとつ又は複数の組み合わせ商品の商品ＩＤを抽出する（ステップ９０５）。
例えば、上述の例では、次の３通りの組み合わせの各コーディネート条件で、組み合わせＤＢと照合される。
・希望組み合わせ：「ニット」、ジャンル：「フェミニン」、着用時：「休日」
・希望組み合わせ：「ジャケット」、ジャンル：「フェミニン」、着用時：「休日」
・希望組み合わせ：「ブーツ」、ジャンル：「フェミニン」、着用時：「休日」
【００２０】
商品コーディネート装置は、抽出した各組み合わせ商品の商品ＩＤに基づき、商品データＤＢを参照して、商品画像及び商品情報を求め、購入商品及び組み合わせ商品をコーディネート条件及びその着用状態に従い組み合わせた結果画像を生成し、さらに、購入商品の商品ＩＤ及び商品情報、結果画像、コーディネート条件、各々の組み合わせ商品の商品ＩＤ及び商品情報を含むコーディネート結果情報を作成する（ステップ９０６）。
商品コーディネート装置は、作成されたコーディネート結果情報を、コーディネート結果ＤＢに格納し、ユーザＩＤに従いユーザの端末装置に送信する（ステップ９０７）。
端末装置は、コーディネート結果情報を受信して、それを表示する（ステップ９０８）
図９は、完成したコーディネートを表示する画面の図である。
この画面には、メッセージ８０１、コーディネート結果画像８０２、ユーザのコーディネート条件８０３、コーディネート商品の商品ＩＤ及び商品情報８０４が含まれる。
なお、販売員等が作成した他のコーディネートを見たい場合は、ボタン８０５の「他の組み合わせを見る」をクリックすると見る事ができる。
このボタンが押されると、商品コーディネート装置にその情報が送られ、情報処理部は、」以下のように、他の組み合わせ候補を選択することができる。
図１３に、組み合わせＤＢの他の実施の形態の説明図を示す。
ステップ９０５において、情報処理部は、この組み合わせＤＢの第１候補から順にコーディネート条件に合致した組み合わせ商品の商品ＩＤを抽出し、上述と同様にステップ９０６で、コーディネート結果情報を作成することができる。ここに、ユーザが購入したお店にコーディネート商品があれば、それらの情報を組み合わせＤＢに予め記憶しておくことができる。
【００２１】
２．第２の実施の形態
図１１は、第２の実施の形態の商品コーディネートシステムの動作を示すシーケンス図である。
商品に付いている又は商品に該当するＩＣタグに、商品ＩＤと、商品画像及び／又は商品情報とを含む商品データを記憶しておいてもよい。この場合、端末装置は、ＩＣタグに記憶された商品データを読み込んで、直接そのデータにより図７のような商品データを表示することができる（ステップ９０１−５）。ステップ９０２以降は、第１の実施の形態と同様である。
【００２２】
３．第３の実施の形態
図１２は、第２の実施の形態の商品コーディネートシステムの動作を示すシーケンス図である。
商品データの表示ステップを省略したものである。第１の実施の形態における、ステップ９０１−１、９０１−３が省略されたもので、ステップ９０２以降は、第１の実施の形態と同様である。
【００２３】
４．第４の実施の形態
アンケートフォーマット記憶部をさらに設けることにより情報処理部は、、商品ＩＤ毎に適宜必要なアンケート項目に従い、アンケートデータを作成することもできる。
図１４に、アンケートフォーマット記憶部の説明図を示す。
アンケートフォーマット記憶部には、図示のように、商品ＩＤに対応して、必要なアンケート項目が記憶される。
【産業上の利用可能性】
【００２４】
以上では、主に、購入商品（購入又は購入候補である商品）について説明したが、これに限らず、本発明は、適宜の基準となる商品（基準商品）の商品ＩＤを取得して、そのコーディネートに適用することも可能である。
本発明の商品コーディネート方法又は商品コーディネート装置・システムは、その各手順をコンピュータに実行させるための商品コーディネートプログラム、商品コーディネートプログラムを記録したコンピュータ読み取り可能な記録媒体、商品コーディネートプログラムを含みコンピュータの内部メモリにロード可能なプログラム製品、そのプログラムを含むサーバ等のコンピュータ、等により提供されることができる。
【符号の説明】
【００２５】
１０１：端末装置
１０２  ：商品コーディネートシステム
１０３：情報処理部
１０５：ユーザ情報ＤＢ
１０６：コーディネートＤＢ
１０７：ユーザ条件ＤＢ
【図１】
2012155550.tif 000003
【図２】
2012155550.tif 000004
【図３】
2012155550.tif 000005
【図４】
2012155550.tif 000006
【図５】
2012155550.tif 000007
【図６】
2012155550.tif 000008
【図７】
2012155550.tif 000009
【図８】
2012155550.tif 000010
【図９】
2012155550.tif 000011
【図１０】
2012155550.tif 000012
【図１１】
2012155550.tif 000013
【図１２】
2012155550.tif 000014
【図１３】
2012155550.tif 000015
【図１４】
2012155550.tif 000016